(57)【特許請求の範囲】
【請求項１】
係留杭あるいは係留ガイドレールに沿って水位変動に追従させ得る浮体構造物の係留装置に、この係留装置の下面に沿って取り付け得る２枚重ねの板体からなり、この２枚重ねの板体にそれぞれ形成されている前記係留杭あるいは係留ガイドレールの横断面形状と同じ形状の孔の近辺に、複数のスリットが上下の位置をずらせて形成された牡蠣その他の海洋生物付着防止装置が直接取り付けられていることを特徴とする浮体構造物の係留装置。
【請求項２】
浮体構造物の係留装置に、前記孔の外方付近に位置させ得るスライドシューを備えていることを特徴とする請求項１記載の浮体構造物の係留装置。
【発明の詳細な説明】
【技術分野】
【０００１】
本発明は、係留杭あるいは係留ガイドレールに係留される浮体構造物の係留装置に関し、さらに詳しくは、浮体構造物を係留する係留杭や係留ガイドレールに牡蠣その他の海洋生物が付着するのを防止し得る装置を備えたものに関する。
【背景技術】
【０００２】
浮体構造物を係留杭あるいは係留ガイドレールに係留する場合において、係留杭あるいは係留ガイドレールに牡蠣その他の海洋生物が付着すると、海洋構造物が水位変動に追従できない事態が度々発生するため、施設管理者は年に数度の付着物除去のための清掃を余儀なくされている。
【０００３】
すなわち、係留杭あるいは係留ガイドレールに牡蠣その他の海洋生物が付着すると、係留装置のローラが係留杭あるいは係留ガイドレールに対して円滑に転動しないために、上記事態が発生することになる。
【０００４】
このような事態が発生しないように、中空状の環状のフロートユニットを係留杭あるいは係留ガイドレールに遊嵌装着し、前記フロートユニットが波により上下動、回転等の動きをすることによって、係留杭あるいは係留ガイドレールに付着する牡蠣その他の海洋生物を効率的に除去し、係留杭あるいは係留ガイドレールを腐食などから保護することができるようにしたものが存在する（例えば、特許文献１参照）。
【先行技術文献】
【特許文献】
【０００５】
【特許文献１】特許第３３２０３５１号公報（図５、図６、要約等参照）。
【発明の概要】
【発明が解決しようとする課題】
【０００６】
このフロートユニットは、常時の干満域では係留杭あるいは係留ガイドレールの表面に常時擦れていて、その表面に牡蠣その他の海洋生物が発生・付着するのを抑制することができるが、最も干満差が大きい夏期の大潮の干潮時においては、その時にしか下がらないために本来ならばフロートユニットが触れることのない部分に牡蠣その他の海洋生物が発生・付着しており、そのためにフロートユニットが簡単に引っ掛かるという不都合が生じていた。
【０００７】
なぜならば、前記フロートユニットはポリエチレン樹脂その他のポリオレフィン系熱可塑性樹脂からなっており、全体の重量が小さく浮力も小さいために、係留杭あるいは係留ガイドレールの表面に発生・付着している牡蠣その他の海洋生物に一旦引っ掛かると、水位が上昇しても浮上することができないからである。
本発明は、このような欠点を解消することを目的とするものである。
【課題を解決するための手段】
【０００８】
上記目的を達成するために、本発明では、係留杭あるいは係留ガイドレールに沿って水位変動に追従させ得る浮体構造物の係留装置に、この係留装置の下面に沿って取り付け得る２枚重ねの板体からなり、この２枚重ねの板体にそれぞれ形成されている前記係留杭あるいは係留ガイドレールの横断面形状と同じ形状の孔の近辺に、複数のスリットが上下の位置をずらせて形成された牡蠣その他の海洋生物付着防止装置が直接取り付けられている。
【０００９】
牡蠣その他の海洋生物付着防止装置は浮体構造物の係留装置に直接取り付けられ、係留杭あるいは係留ガイドレールの外側に位置させることができる。このように、牡蠣その他の海洋生物付着防止装置が質量の大きい浮体構造物の係留装置に直接取り付けられているので、係留杭あるいは係留ガイドレールに付着している牡蠣その他の海洋生物を、浮体構造物の大きな浮力を利用してそぎ落とすことができる。
【００１０】
特に、牡蠣その他の海洋生物付着防止装置を浮体構造物の係留装置と一体化することにより、従来の場合に用いられていた浮力体が不要になるという利点がある。また、牡蠣その他の海洋生物付着防止装置を浮体構造物の係留装置と一体化することにより、メンテナンスが容易になるという利点もある。
【００１１】
さらに、水位変動に追従して浮体構造物の係留装置が係留杭あるいは係留ガイドレールに沿って上下動する場合において、水位が下がるときには２枚重ねの板体のうち上側に位置する板体の孔近辺が複数のスリットにより上側にめくれ、逆に、水位が上がるときには２枚重ねの板体のうち下側に位置する板体の孔近辺が複数のスリットにより下側にめくれる。したがって、水位変動に追従して浮体構造物の係留装置が係留杭あるいは係留ガイドレールに沿って上下動するいずれの場合においても、係留杭あるいは係留ガイドレールに付着している牡蠣その他の海洋生物を巧みにそぎ落とすことができる。
【００１２】
なお、牡蠣その他の海洋生物付着防止装置が、浮体構造物の係留装置の下面に沿って取り付け得る２枚重ねの板体からなるので、質量の大きい浮体構造物の係留装置の下面に、適宜の固定具により、牡蠣その他の海洋生物付着防止装置を極めて簡単に取り付けることができる。したがって、係留杭あるいは係留ガイドレールに付着している牡蠣その他の海洋生物をそぎ落とすために、浮体構造物の係留装置の下面に牡蠣その他の海洋生物付着防止装置を極めて簡単に取り付けることができるとともに、そのメンテナンスも極めて有利である。
【００１３】
浮体構造物の係留装置に、前記孔の外方付近に位置させ得るスライドシューを備えていることが好ましい。このようにすると、水位変動に追従して浮体構造物の係留装置が係留杭あるいは係留ガイドレールに沿って上下動しても、前記孔の外方付近に位置するスライドシューにより、浮体構造物の係留装置が係留杭あるいは係留ガイドレールに干渉して傷を付けることがない。
【発明の効果】
【００１４】
請求項１記載の発明によれば、牡蠣その他の海洋生物付着防止装置が質量の大きい浮体構造物の係留装置に直接取り付けられているので、係留杭あるいは係留ガイドレールに付着している牡蠣その他の海洋生物を、浮体構造物の大きな浮力を利用してそぎ落とすことができる。
【００１５】
特に、牡蠣その他の海洋生物付着防止装置を浮体構造物の係留装置と一体化することにより、従来の場合に用いられていた浮力体が不要になるという利点がある。また、牡蠣その他の海洋生物付着防止装置を浮体構造物の係留装置と一体化することにより、メンテナンスが容易になるという利点もある。
【００１６】
さらに、水位変動に追従して浮体構造物の係留装置が係留杭あるいは係留ガイドレールに沿って上下動する場合において、水位が下がるときには２枚重ねの板体のうち上側に位置する板体の孔近辺が複数のスリットにより上側にめくれ、逆に、水位が上がるときには２枚重ねの板体のうち下側に位置する板体の孔近辺が複数のスリットにより下側にめくれる。したがって、水位変動に追従して浮体構造物の係留装置が係留杭あるいは係留ガイドレールに沿って上下動するいずれの場合においても、係留杭あるいは係留ガイドレールに付着している牡蠣その他の海洋生物を巧みにそぎ落とすことができる。
【００１７】
なお、牡蠣その他の海洋生物付着防止装置が、浮体構造物の係留装置の下面に沿って取り付け得る２枚重ねの板体からなるので、質量の大きい浮体構造物の係留装置の下面に、適宜の固定具により、牡蠣その他の海洋生物付着防止装置を極めて簡単に取り付けることができ、係留杭あるいは係留ガイドレールに付着している牡蠣その他の海洋生物のそぎ落とすために、浮体構造物の係留装置の下面に牡蠣その他の海洋生物付着防止装置を極めて簡単に取り付けることができるとともに、そのメンテナンスも極めて有利である。
【００１８】
請求項２記載の発明によれば、水位変動に追従して浮体構造物の係留装置が係留杭あるいは係留ガイドレールに沿って上下動しても、前記孔の外方付近に位置するスライドシューにより、浮体構造物の係留装置が係留杭あるいは係留ガイドレールに干渉して傷を付けることがない。
【図面の簡単な説明】
【００１９】
【図１】本発明による浮体構造物の係留装置を係留杭に係留した一例を示す全体の平面図である。
【図２】その立面図である。
【図３】図１の一部を拡大して示す平面図である。
【図４】図３の一部を切り欠いて示す正面図である。
【図５】図３のＶ−Ｖ線に沿う端面図である。
【図６】牡蠣その他の海洋生物付着防止装置が板体からなる場合の一例を示す平面図である。
【発明を実施するための形態】
【００２０】
本発明を実施するための形態について、図面を参照しながら説明する。
ここでは、図１、図２に示すように、本発明による浮体構造物の係留装置１を用い、浮体構造物Ａとしての２基の浮桟橋ａ１，ａ１を海底Ｇに立設した２本の係留杭Ｂ，Ｂにそれぞれ係留するとともに、前記２基の浮桟橋ａ１，ａ１間に１基の浮桟橋ａ２を連結し、さらに、片方の浮桟橋ａ１に１基の浮桟橋ａ３を連結するとともに、前記浮桟橋ａ３と既設護岸Ｃとに１基の渡り橋Ｄを渡し掛けた場合を例に挙げて、以下本発明を詳細に説明する。
【００２１】
前記係留装置１は、図３に詳示するように、平面方形状のフレーム１ａを有しており、このフレーム１ａが前記浮桟橋ａ１に取り付けられている。そして、このフレーム１ａの内側には、前記係留杭Ｂに当接して押し付け得る３つのローラ１ｂ，１ｂ，１ｂが１本の係留杭Ｂに対して平面的に見て等間隔となるように配置されている。また、前記浮桟橋ａ１のフレーム１ａの下面には、図２及び図４に示すように、フロート２，２が、また、前記浮桟橋ａ３の下面には、図２に示すように、フロート２’が適宜の数だけ取り付けられている。さらに、前記２基の浮桟橋ａ１，ａ１間に連結された１基の浮桟橋ａ２にも、図示はしないがフロートが同様に取り付けられている。
【００２２】
したがって、これらのフロート２、２’及び図示しないフロートの浮力により水上ないし海上で浮桟橋ａ１、ａ２、ａ３を浮揚させることができ、しかも、その水位変動に追従して係留杭Ｂの外面を３つのローラ１ｂ，１ｂ，１ｂが転動するので、前記浮桟橋ａ１、ａ２、ａ３を係留杭Ｂに沿ってスムーズに上下動させることができる。
【００２３】
なお、３つのローラ１ｂ，１ｂ，１ｂのうち、フレーム１ａ内において浮桟橋ａ１に近い方に位置する１つのローラ１ｂ（図４において、右側に現われている）は、他の２つのローラ１ｂ，１ｂよりも低い位置にある。逆に、他の２つのローラ１ｂ，１ｂは、図４に示すように、低い位置にある１つのローラ１ａよりも高い位置にある。
【００２４】
一方、前記浮桟橋ａ１のフレーム１ａの下面には、図３及び図４に示すように、前記係留杭Ｂの横断面形状と同じ形状の孔を有する牡蠣その他の海洋生物付着防止装置Ｅが直接取り付けられている。すなわち、牡蠣その他の海洋生物付着防止装置Ｅは浮体構造物Ａの係留装置１のフレーム１ａに直接取り付けられ、前記孔を介して係留杭Ｂに遊嵌させてその外側に位置させることができる。このように、牡蠣その他の海洋生物付着防止装置Ｅが質量の大きい浮体構造物Ａの係留装置１のフレーム１ａに直接取り付けられているので、係留杭Ｂに付着している牡蠣その他の海洋生物を、浮体構造物Ａの大きな浮力を利用してそぎ落とすことができる。
【００２５】
特に、牡蠣その他の海洋生物付着防止装置Ｅを浮体構造物Ａの係留装置１と一体化することにより、従来の場合に用いられていた浮力体が不要になるという利点がある。また、牡蠣その他の海洋生物付着防止装置Ｅを浮体構造物Ａの係留装置１と一体化することにより、メンテナンスが容易になるという利点もある。
【００２６】
牡蠣その他の海洋生物付着防止装置Ｅとして、ここでは、例えば合成ゴムからなり、前記係留杭Ｂの横断面形状と同じ形状の孔３ａを有していてこの孔３ａを介して係留杭Ｂに遊嵌させ得る板体３が２枚重ねであり、この２枚重ねの板体３，３にそれぞれ形成されている係留杭Ｂの横断面形状と同じ形状の孔３ａ，３ａの近辺に、複数のスリット３ｂ，３ｂが上下の位置をずらせて形成されている場合を例示してある。すなわち、図６に示すように、上側に位置する板体３には、同図実線で示す複数のスリット３ｂが、また、下側に位置する板体３には、同図点線で示す複数のスリット３ｂが、上下の位置をずらせて形成されている。
【００２７】
このようにした場合には、水位変動に追従して浮体構造物Ａの係留装置１が係留杭Ｂに沿って上下動する場合において、水位が下がるときには２枚重ねの板体３，３のうち上側に位置する板体３の孔３ａ近辺が複数のスリット３ｂ，３ｂにより上側にめくれ、逆に、水位が上がるときには２枚重ねの板体３，３のうち下側に位置する板体３の孔３ａ近辺が複数のスリット３ｂ，３ｂにより下側にめくれる。したがって、水位変動に追従して浮体構造物Ａの係留装置１が係留杭Ｂに沿って上下動するいずれの場合においても、係留杭Ｂに付着している牡蠣その他の海洋生物を巧みにそぎ落とすことができる。
【００２８】
このように、浮桟橋ａ１のフレーム１ａの下面に牡蠣その他の海洋生物付着防止装置Ｅとしての２枚重ねの板体３，３が備えられ、前記孔３ａを介してこの２枚重ねの板体３，３が前記係留杭Ｂに遊嵌されることになるので、係留杭Ｂの外面に付着している牡蠣その他の海洋生物を、浮体構造物Ａの大きな浮力を利用してそぎ落とすことができる。この板体３は例えば８ｍｍ程度の厚さとすることができる。
【００２９】
なお、牡蠣その他の海洋生物付着防止装置が、浮体構造物の係留装置の下面に沿って取り付け得る２枚重ねの板体からなるので、質量の大きい浮体構造物Ａの係留装置１の下面に、適宜の固定具により、牡蠣その他の海洋生物付着防止装置である２枚重ねの板体３，３を極めて簡単に取り付けることができ、係留杭Ｂあるいは係留ガイドレールに付着している牡蠣その他の海洋生物のそぎ落とすために、浮体構造物Ａの係留装置１の下面に板体３を極めて簡単に取り付けることができるとともに、そのメンテナンスも極めて有利である。
【００３０】
図６に示すように、板体３を２つ割りその他複数個に分割できるようにしておくと、浮体構造物Ａの係留装置１の下面への取り付け・取り外しに便利である。
【００３１】
なお、牡蠣その他の海洋生物付着防止装置Ｅとしては、板体３以外に、工具としてのバイトのような部材を前記孔３ａの外方ないし周縁に沿うように多数並べて配置し、それらの先端で係留杭Ｂの外面に付着している牡蠣その他の海洋生物をぎ落とすようにすることもできる。
【００３２】
また、ここには、図３および図５に示すように、前記孔３ａの周縁付近に位置させ得る２つのスライドシュー４，４が前記板体３の上面に沿って前記フレーム１ａとの間に対向して取り付けられ、その内端面が１本の係留杭Ｂを中心にして前記孔３ａの周縁付近にそれぞれ位置するようにした場合が例示されている。このような２つのスライドシュー４，４が設けられていることにより、水位変動に追従して浮体構造物Ａの係留装置１が係留杭Ｂに沿って上下動しても、前記孔３ａの周縁付近に位置するスライドシュー４，４により、浮体構造物Ａの係留装置１が係留杭Ｂに干渉して傷を付けることがない。
【００３３】
図２において、符号Ｌ．Ｗ．Ｌ．は低水位を、符号Ｈ．Ｈ．Ｗ．Ｌ．は最高潮位（最高水位）を示し、これら水位の変動に追従して浮体構造物Ａの係留装置１が係留杭Ｂに沿って上下動すると、互いに連結されている前記３基の浮桟橋ａ１〜ａ３と前記浮桟橋ａ３と既設護岸Ｃとに渡し掛けられている１基の渡り橋Ｄとが、同図の実線と鎖線との間で上下動することになる。
【００３４】
ここには、水位の変動に追従して浮体構造物Ａの係留装置１が係留杭Ｂに沿って上下動する場合を例示したが、係留杭Ｂに代えて係留ガイドレール（図示しない）を海底Ｇに立設し、浮体構造物Ａの係留装置１がこのガイドレールに沿って上下動するようにしても良い。
【００３５】
また、ここでは、係留杭Ｂが鋼管などからなる横断面円形の場合を例示したが、係留杭ＢがＨ型鋼のような形状の場合であっても、その形状に適合するように、係留装置１のフレーム１ａや牡蠣その他の海洋生物付着防止装置Ｅならびに板体３の孔３ａなどを設計すれば良い。
【００３６】
なお、図１における符号Ｆは、連結された浮桟橋ａ１〜ａ３の端部に位置する１基の浮桟橋ａ１（図１では、下側に現われる）の近くに設置した船舶係留杭で、この船舶係留杭Ｅに船舶（図示しない）を係留することができる。
【産業上の利用可能性】
【００３７】
ここには、浮体構造物として浮桟橋を例に挙げて本発明を説明したが、本発明は浮桟橋以外の浮体構造物、例えば、ポンツーン、浮歩道、浮歩廊、連絡橋などの係留装置にも当然適用することができる。
【符号の説明】
【００３８】
１…係留装置、１ａ…フレーム、１ｂ…ローラ、２，２’…フロート、３…板体、３ａ…孔、３ｂ…スリット、４…スライドシュー、Ａ…浮体構造物、ａ１〜ａ３…浮桟橋、Ｂ…係留杭、Ｅ…牡蠣その他の海洋生物付着防止装置。
【図１】
0005840194.tif 000002
【図２】
0005840194.tif 000003
【図３】
0005840194.tif 000004
【図４】
0005840194.tif 000005
【図５】
0005840194.tif 000006
【図６】
0005840194.tif 000007